(57)【特許請求の範囲】
【請求項１】
室内に配置されている室内機器と、
前記室内の空気を換気する換気手段と、
前記換気手段の風量をユーザーの指示により手動かつ複数段階で設定可能な風量設定手段と、
制御手段を備えており、
前記制御手段は、換気モードとして、前記室内機器の状態に応じた風量で前記換気手段を動作させる第１換気モードと、前記風量設定手段で設定可能な複数段階の風量のうちユーザーの指示により手動で設定された風量で前記換気手段を動作させる第２換気モードを実行可能であり、
前記制御手段は、前記第１換気モードを実行中に前記第２換気モードが実行されると、換気モードを前記第２換気モードに変化させた後に、所定時間が経過すると前記第２換気モードから前記第１換気モードに戻す、換気システム。
【請求項２】
前記制御手段は、前記換気モードを前記第１換気モードから前記第２換気モードに変化させたときの前記第１換気モードの風量を記憶しておき、前記換気モードを前記第２換気モードから前記第１換気モードに戻すときに、記憶している前記第１換気モードの風量で前記換気手段を動作させた後に前記室内機器の状態に応じた風量で前記換気手段を動作させる、請求項１に記載の換気システム。
【請求項３】
前記制御手段は、前記換気モードを前記第２換気モードから前記第１換気モードに戻すときに、そのときの前記室内機器の状態に応じた風量で前記換気手段を動作させる、請求項１に記載の換気システム。
【請求項４】
前記室内機器が、調理器および前記室内の空気質を検知する空気質検知器であり、前記室内機器の状態とは、前記調理器の運転状態および前記空気質検知器が検知した室内の空気質である請求項１から３のいずれか一項に記載の換気システム。
【請求項５】
前記制御手段は、前記第１換気モードを実行中に前記第２換気モードが実行されると、換気モードを前記第２換気モードに変化させた後に、前記所定時間が経過する前に前記調理器の運転状態が変化した場合は、前記調理器の運転状態に応じた風量で前記換気手段を動作させる、請求項４に記載の換気システム。
【発明の詳細な説明】
【技術分野】
【０００１】
本明細書に開示する技術は、換気システムに関する。
【背景技術】
【０００２】
特許文献１に開示されている換気システムは、室内に配置されている調理器（室内機器）と、室内の空気を換気する換気手段と、換気手段の風量を手動で設定可能な風量設定手段と、制御手段を備えている。換気手段は、調理器の状態に応じた風量で自動的に動作する自動モードと、風量設定手段で手動設定された風量で動作する手動モードを備えている。この換気システムでは、換気手段が自動モードで動作しているときにユーザーが風量設定手段で風量を手動設定すると、制御手段が換気手段のモードを自動モードから手動モードに変更する。そうすると換気手段が手動モードで動作する。換気手段が手動モードで動作することによって、ユーザーが希望する風量で室内の空気を換気することができる。その後、制御手段は換気手段のモードを手動モードに維持し続ける。換気手段のモードが自動モードに戻ることはない。
【０００３】
また、特許文献１には、従来の技術として、換気手段が手動モードで動作しているときにユーザーが調理器を操作すると、制御手段が換気手段のモードを手動モードから自動モードに変更する技術が開示されている。そうすると換気手段が自動モードで動作する。換気手段が自動モードで動作することによって、調理器の状態に応じた風量で室内の空気を換気することができる。
【先行技術文献】
【特許文献】
【０００４】
【特許文献１】特開２００３−２９４２８３号公報
【発明の概要】
【発明が解決しようとする課題】
【０００５】
特許文献１の換気システムでは、換気手段のモードが自動モードに戻ることがないので、換気手段はユーザーが風量設定手段で手動設定した風量で室内の空気を換気し続ける。そうすると、換気手段のモードが手動モードに変更された後は、調理器（室内機器）の状態に応じた風量で室内の空気を換気することができない。
【０００６】
一方、特許文献１の従来の技術では、ユーザーによる調理器の手動操作によって換気手段のモードが自動モードに戻るので、手動モードによる換気が途中で遮断されてしまい、手動モードで換気する時間がユーザーの希望に反して短くなる。そのため、ユーザーが希望する風量（風量設定手段で手動設定された風量）で室内を十分に換気することができない。
【０００７】
そこで本明細書は、ユーザーが換気手段の風量を変更すると、ユーザーの希望風量で換気する時間を十分に確保することができるとともに、その後に再び室内機器の状態に応じた風量で室内の空気を換気することができる技術を提供する。
【課題を解決するための手段】
【０００８】
本明細書に開示する換気システムは、室内に配置されている室内機器と、室内の空気を換気する換気手段と、換気手段の風量をユーザーの指示により手動で設定可能な風量設定手段と、制御手段を備えている。制御手段は、換気モードとして、室内機器の状態に応じた風量で換気手段を動作させる第１換気モードと、風量設定手段でユーザーの指示により手動で設定された風量で換気手段を動作させる第２換気モードを実行可能である。制御手段は、第１換気モードを実行中に第２換気モードが実行されると、換気モードを第２換気モードに変化させた後に、所定時間が経過すると第２換気モードから第１換気モードに戻す。
【０００９】
このような構成によれば、まず、制御手段が第１換気モードを実行し、換気手段は、室内機器の状態に応じた風量で室内の空気を換気する。その後、ユーザーが風量設定手段で風量を設定すると、制御手段が第２換気モードを実行し、換気手段は、設定された風量で室内の空気を換気する。また、その後、所定時間が経過すると制御手段は換気モードを第２換気モードから第１換気モードに戻すので、換気手段は再び第１換気モードの風量で動作して室内機器の状態に応じた風量で室内の空気を換気する。このように動作することで、制御手段が第１換気モードを実行しているときにユーザーが風量設定手段で風量を設定することによって、ユーザーが希望する風量で室内の空気を換気することができる。また、換気手段が所定時間にわたって第２換気モードの風量で動作するので、ユーザーが希望する風量で換気する時間を十分に確保することができる。また、制御手段は第２換気モードを実行した後に再び第１換気モードに戻すので、再び室内機器の状態に応じた風量で室内の空気を換気することができる。したがって、ユーザーが換気手段の風量を変更すると、ユーザーの希望風量で換気する時間を十分に確保することができるとともに、その後に再び室内機器の状態に応じた風量で室内の空気を換気することができる。
【００１０】
上記の換気システムでは、制御手段が、換気モードを第１換気モードから第２換気モードに変化させたときの第１換気モードの風量を記憶しておき、前記換気モードを第２換気モードから第１換気モードに戻すときに、記憶している前記第１換気モードの風量で換気手段を動作させてもよい。
【００１１】
このような構成によれば、制御手段が、換気モードを第２換気モードから再び第１換気モードに戻すときに、以前の第１換気モードのときの風量で再び換気手段が動作する。これによって、ユーザーが換気手段の風量を変更したとしても、所定時間が経過したときに再び元の風量で室内の空気を換気することができる。
【００１２】
また、上記の換気システムでは、制御手段が、換気モードを第２換気モードから第１換気モードに戻すときに、そのときの室内機器の状態に応じた風量で換気手段を動作させてもよい。
【００１３】
このような構成によれば、制御手段が換気モードを第２換気モードから再び第１換気モードに戻るときに、そのときの室内機器の状態に応じた風量で換気手段が動作する。これによって、ユーザーが換気手段の風量を変更したとしても、所定時間が経過したときに、そのとき（すなわち現在）の室内機器の状態に応じた風量で室内の空気を換気することができる。
【００１４】
上記の換気システムでは、室内機器が、調理器および室内の空気質を検知する空気質検知器であってもよい。室内機器の状態とは、調理器の運転状態および空気質検知器が検知した室内の空気質であってもよい。
【００１５】
室内に調理器があると、調理によって臭いが発生することがある。また、調理器が燃焼式の場合は、燃焼排ガスが発生することがある。そこで、調理器の運転状態や空気質検知器が検知した室内の空気質を合わせて考慮することによって、適切な風量で換気を行うことができる。
【００１６】
また、制御手段が、第１換気モードを実行中に第２換気モードが実行されると、換気モードを第２換気モードに変化させた後に、前記所定時間が経過する前に調理器の運転状態が変化した場合は、調理器の運転状態に応じた風量で換気手段を動作させてもよい。
【００１７】
このような構成によれば、換気モードが第１換気モードから第２換気モードに変化してから所定時間が経過していなくても、調理器の運転状態が変化した場合には必要に応じて、その変化に応じた風量で換気手段が動作する。そのため、例えば調理器の運転状態が室内の空気質を悪化させる方向へ急激に変化したとしても、その変化に迅速に対応することができる。
【図面の簡単な説明】
【００１８】
【図１】実施例に係る換気システムが設置されている室の立面図である。
【図２】実施例に係る換気システムのブロック図である。
【図３】第１実施例に係る換気システムの動作を説明するための図である。
【図４】第２実施例に係る換気システムの動作を説明するための図である。
【図５】第３実施例に係る換気システムの動作を説明するための図である。
【図６】第４実施例に係る換気システムの動作を説明するための図である。
【図７】第５実施例に係る換気システムの動作を説明するための図である。
【図８】第６実施例に係る換気システムの動作を説明するための図である。
【図９】第７実施例に係る換気システムの動作を説明するための図である。
【発明を実施するための形態】
【００１９】
図１に示すように、実施例に係る換気システム１は、ガスコンロ２０と、レンジフード３０と、センサ４０と、警報器７０と、リモコン６０と、コントローラー５０を備えている。換気システム１は、例えば、マンションや戸建における室９に設置される。
【００２０】
室９の内部領域である室内９０は、キッチン領域９１と、キッチン領域９１の外部にあるダイニング領域９２に分けられる。キッチン領域９１では、ユーザーが調理を行うことができる。ダイニング領域９２では、ユーザーが食事を行うことができる。
【００２１】
ガスコンロ２０（調理器の一例）は、キッチン領域９１に配置されている。ガスコンロ２０は、室内９０に配置されている室内機器である。ガスコンロ２０は、ガスを燃焼させた火力を利用してユーザーが調理を行うための機器である。ユーザーが調理を行うとガスコンロ２０の周囲に熱、水分および油分等が生じる。
【００２２】
ガスコンロ２０は、バーナー２１と、バーナー２１の点火または消火をするためのスイッチ２２と、バーナー２１の火力を調節するための調節部２３を備えている。ガスコンロ２０の動作状態は調節可能である。具体的には、ガスコンロ２０は、バーナー２１の火力を多段階で調節できるように構成されている。例えば、バーナー２１の火力を「消火」、「弱」、「中」、「強」の４段階で調節することができる。ユーザーがスイッチ２２を入れるとバーナー２１が点火し、スイッチ２２を切るとバーナー２１が消火する。また、ユーザーが調節部２３を操作するとバーナー２１の火力状態を調節することができる。
【００２３】
レンジフード３０（換気手段の一例）は、キッチン領域９１に配置されている。レンジフード３０は、ガスコンロ２０の上方に配置されており、ガスコンロ２０と対向している。
【００２４】
レンジフード３０は、ファン３１とカバー３２を備えている。レンジフード３０は、ファン３１が回転することによって室内９０の空気を換気する。カバー３２はファン３１を覆っている。レンジフード３０は、ファン３１の回転速度を多段階で調節することによって、室内９０の空気を換気する風量を多段階で調節できるように構成されている。例えば、換気の風量を「０（停止）」、「弱」、「中」、「強」の４段階で調節することができる。レンジフード３０は、風量が「０（停止）」である場合は動作しない。
【００２５】
レンジフード３０は、後述するコントローラー５０が第１換気モードと第２換気モードを実行することで、それぞれの風量で動作可能である。第１換気モードは、ガスコンロ２０又はセンサ４０の状態に応じた風量で動作するモードである。第２換気モードは、リモコン６０で設定された風量で動作するモードである。
【００２６】
センサ４０（空気質検知器の一例）は、キッチン領域９１に配置されている。センサ４０は、室内９０に配置されている室内機器である。センサ４０は、室内９０の空気質を継続的に検知している。センサ４０は、ガスコンロ２０から離れた位置に配置されている。また、センサ４０は、後述する警報器７０の筐体内に設けられている。
【００２７】
室内９０の空気質は、例えば、室内９０の空気の温度、湿度、臭気、室内９０に配置された燃焼式器具の燃焼排ガス、未燃ガス等によって変化する。例えば、室内９０に配置されているゴミ箱の中のゴミや調理中の料理から臭気が発生したり、ガスコンロ２０や室内９０に配置されている燃焼式暖房機の燃焼排ガスが増加した場合には室内９０の空気質が悪化する。センサ４０は、検知した室内９０の空気質を所定の基準に照らしてランク分けすることができる。例えば、センサ４０は、室内９０の空気質を「正常」、「やや悪い」、「悪い」、「とても悪い」の４つにランク分けすることができる。例えば、室内９０の空気の温度が２５℃であり、湿度が５０％であり、臭気が発生していない場合は、室内９０の空気質は「正常」のランクに該当する。また、例えば、室内９０の空気質が悪化した場合は、悪化の程度に応じて、室内９０の空気質が「やや悪い」、「悪い」、「とても悪い」のいずれかのランクに該当する。
【００２８】
警報器７０は、キッチン領域９１に配置されている。警報器７０は、ガスコンロ２０から離れた位置に配置されている。警報器７０は、室内９０の空気質に異常がある場合にその異常を周囲に知らせるブザー、スピーカー、ランプ等の報知手段８０を備えている。
【００２９】
リモコン６０（風量設定手段の一例）は、レンジフード３０の風量を設定可能に構成されている。ユーザーがリモコン６０を操作することによって、レンジフード３０の風量を「０（停止）」、「弱」、「中」、「強」の４段階で設定することができる。リモコン６０は、レンジフード３０と無線通信可能に構成されている。無線通信としては、例えばＢｌｕｅｔｏｏｔｈ（登録商標）による通信や、赤外線による通信等を用いることができる。
【００３０】
コントローラー５０（制御手段の一例）は、キッチン領域９１に配置されている。コントローラー５０は、ガスコンロ２０から離れた位置に配置されている。コントローラー５０は、センサ４０と同様に警報器７０の筐体内に配置されている。コントローラー５０とセンサ４０と報知手段８０は、警報器７０内に配置されている。
【００３１】
図２に示すように、コントローラー５０は、ガスコンロ２０およびレンジフード３０と無線通信可能に構成されている。無線通信としては、例えばＢｌｕｅｔｏｏｔｈによる通信や、赤外線による通信等を用いることができる。また、コントローラー５０は、センサ４０および報知手段８０と通信可能に構成されている。コントローラー５０は、ガスコンロ２０とセンサ４０から受信する情報に基づいてレンジフード３０の運転を制御する。
【００３２】
次に、換気システム１の風量について説明する。上記の構成を備えている換気システム１では、ガスコンロ２０を使用する場合に、ガスコンロ２０の動作状態に適したレンジフード３０の風量がある。そこで、ガスコンロ２０の動作状態に応じたレンジフード３０の風量が予め設定されている（以下、「ガスコンロ対応風量」という場合がある。）。具体的には、ガスコンロ２０のバーナー２１の火力に応じたレンジフード３０の風量が設定されている。ガスコンロ２０の「消火」、「弱」、「中」、「強」の各火力に応じて、レンジフード３０の風量が「０（停止）」、「弱」、「中」、「強」に設定されている。
【００３３】
ガスコンロ２０は、火力に応じた風量情報をコントローラー５０へ送信可能に構成されている。例えば、ガスコンロ２０は、火力が「中」である場合、それに応じたレンジフード３０の風量「中」をコントローラー５０へ送信する。また、ガスコンロ２０は、火力が「弱」または「強」に調節された場合、調節後の火力に応じたレンジフード３０の風量「弱」または風量「強」をコントローラー５０へ送信する。
【００３４】
また、上記の構成を備えている換気システム１では、レンジフード３０で室内９０の空気を換気する場合に、センサ４０が検知した室内９０の空気質に適したレンジフード３０の風量がある。そこで、センサ４０が検知した室内９０の空気質に応じたレンジフード３０の風量が予め設定されている（以下、「センサ対応風量」という場合がある。）。具体的には、室内９０の空気質に応じたレンジフード３０の風量が設定されている。例えば、「正常」、「やや悪い」、「悪い」、「とても悪い」の各空気質に対応して、レンジフード３０の風量が「０（停止）」、「弱」、「中」、「強」に設定されている。
【００３５】
センサ４０は、検知した室内９０の空気質に応じた風量情報をコントローラー５０へ送信可能に構成されている。例えば、センサ４０は、検知した室内９０の空気質が「悪い」に該当する場合、それに応じたレンジフード３０の風量「中」をコントローラー５０へ送信する。また、センサ４０は、室内９０の空気質が「やや悪い」または「とても悪い」に変化した場合、変化後の空気質に応じたレンジフード３０の風量「弱」または風量「強」をコントローラー５０へ送信する。
【００３６】
レンジフード３０は、リモコン６０から受信した風量情報をコントローラー５０へ送信可能に構成されている。例えば、レンジフード３０は、リモコン６０から受信した風量が「中」である場合、その風量「中」をコントローラー５０へ送信する。
【００３７】
コントローラー５０は、メモリ５２を備えている。メモリ５２は、各種の情報を記憶する。メモリ５２は、ガスコンロ２０の動作状態に応じたレンジフード３０の風量（ガスコンロ対応風量）と、センサ４０が検知した室内９０の空気質に応じたレンジフード３０の風量（センサ対応風量）を記憶することができる。また、メモリ５２は、レンジフード３０の現在の風量（以下、「レンジフード現在風量」という場合がある。）を記憶することができる。また、メモリ５２は、リモコン６０で設定されたレンジフード３０の風量（以下、「リモコン対応風量」という場合がある。）を記憶することができる。
【００３８】
（第１実施例）
次に、換気システムの動作について説明する。まず、第１実施例について説明する。図３に示すように、第１実施例の初期状態では、ガスコンロ２０のバーナー２１が点火しておらず、火力が「消火」であるとする。また、初期状態では、センサ４０が検知した室内９０の空気質が「正常」であるとする。また、初期状態では、レンジフード３０のファン３１が停止しており、風量が「０（停止）」であるとする。
【００３９】
また、初期状態では、メモリ５２が、ガスコンロ対応風量として、ガスコンロ２０の火力「消火」に応じたレンジフード３０の風量「０（停止）」を記憶している。また、メモリ５２は、センサ対応風量として、室内９０の空気質「正常」に応じたレンジフード３０の風量「０（停止）」を記憶している。また、メモリ５２は、レンジフード現在風量として、レンジフード３０の現在の風量「０（停止）」を記憶している。
【００４０】
初期状態からユーザーがガスコンロ２０のスイッチ２２を入れるとバーナー２１が点火する。また、ユーザーがガスコンロ２０の調節部２３を操作して火力「強」に調節したとする。そうすると、ガスコンロ２０が、ガスコンロ２０の火力「強」に応じたレンジフード３０の風量「強」（ガスコンロ対応風量）をコントローラー５０へ送信する（Ｓ１１）。
【００４１】
コントローラー５０は、ガスコンロ対応風量を受信する。コントローラー５０は、受信したガスコンロ対応風量（ガスコンロ２０の火力「強」に応じたレンジフード３０の風量「強」）をメモリ５２に格納する（Ｓ１２）。
【００４２】
また、コントローラー５０は、受信したガスコンロ対応風量（ガスコンロ２０の火力「強」に応じたレンジフード３０の風量「強」）をレンジフード３０へ送信する（Ｓ１３）。レンジフード３０は、コントローラー５０から受信したガスコンロ対応風量に基づいて風量「強」で動作する。レンジフード３０は、風量「強」で室内９０の空気を換気する。また、コントローラー５０は、レンジフード３０の現在の風量「強」（レンジフード現在風量）をメモリ５２に格納する（Ｓ１４）。
【００４３】
以上のようにして、レンジフード３０がガスコンロ２０の火力「強」に応じた風量「強」（ガスコンロ対応風量）で動作する。すなわち、コントローラー５０が第１換気モードを実行し、レンジフード３０が第１換気モードの風量で動作する。
【００４４】
その後、ガスコンロ２０の点火から時間が経過したときに、ユーザーがリモコン６０でレンジフード３０の風量を「中」に設定したとする。そうすると、リモコン６０が、設定されたレンジフード３０の風量「中」（リモコン対応風量）をレンジフード３０へ送信する（Ｓ１５）。レンジフード３０は、リモコン６０から受信したリモコン対応風量（リモコン６０で設定されたレンジフード３０の風量「中」）に基づいて風量「中」で動作する。レンジフード３０は、風量「中」で室内９０の空気を換気する。また、レンジフード３０は、受信したリモコン対応風量（リモコン６０で設定されたレンジフード３０の風量「中」）をコントローラー５０へ送信する（Ｓ１６）。
【００４５】
コントローラー５０は、リモコン対応風量を受信する。コントローラー５０は、受信したリモコン対応風量（リモコン６０で設定されたレンジフード３０の風量「中」）をメモリ５２に格納する（Ｓ１７）。また、コントローラー５０は、レンジフード３０の現在の風量「中」（レンジフード現在風量）をメモリ５２に格納する（Ｓ１８）。
【００４６】
以上のようにして、レンジフード３０がリモコン６０で設定された風量「中」（リモコン対応風量）で動作する。すなわち、ユーザーがリモコン６０で風量を設定することによって、コントローラー５０が第２換気モードを実行し、換気モードが第１換気モードから第２換気モードに変化する。
【００４７】
また、コントローラー５０は、リモコン対応風量を受信すると、所定時間（例えば１０分）のタイマーを設定する。その後、タイマー設定された所定時間が経過してタイマーが切れると、コントローラー５０は、Ｓ１２でメモリ５２に記憶しているガスコンロ対応風量（ガスコンロ２０の火力「強」に応じたレンジフード３０の風量「強」）をレンジフード３０へ送信する（Ｓ１９）。レンジフード３０は、コントローラー５０から受信したガスコンロ対応風量に基づいて風量「強」で動作する。レンジフード３０は、風量「強」で室内９０の空気を換気する。また、コントローラー５０は、レンジフード３０の現在の風量「強」（レンジフード現在風量）をメモリ５２に格納する（Ｓ２０）。
【００４８】
以上のようにして、レンジフード３０がガスコンロ２０の火力「強」に応じた風量「強」（ガスコンロ対応風量）で動作する。すなわち、タイマー設定された所定時間が経過することによって、コントローラー５０が第１換気モードを実行し、換気モードを第２換気モードから第１換気モードに戻す。タイマー設定された所定時間にわたってレンジフード３０が第２換気モードの風量で動作した後に第１換気モードの風量で動作する。
【００４９】
その後、更に時間が経過したときに、ユーザーがガスコンロ２０の火力を「強」から「消火」に調節したとする。そうすると、ガスコンロ２０が、ガスコンロ２０の火力「消火」に応じたレンジフード３０の風量「０（停止）」（ガスコンロ対応風量）をコントローラー５０へ送信する（Ｓ２１）。
【００５０】
コントローラー５０は、ガスコンロ対応風量を受信する。コントローラー５０は、受信したガスコンロ対応風量（ガスコンロ２０の火力「消火」に応じたレンジフード３０の風量「０（停止）」）をメモリ５２に格納する（Ｓ２２）。また、コントローラー５０は、受信したガスコンロ対応風量をレンジフード３０へ送信する（Ｓ２３）。レンジフード３０は、コントローラー５０から受信したガスコンロ対応風量（ガスコンロ２０の火力「消火」に応じたレンジフード３０の風量「０（停止）」）に基づいて停止する。また、コントローラー５０は、レンジフード３０の現在の風量「０（停止）」（レンジフード現在風量）をメモリ５２に格納する（Ｓ２４）。以上のようにして、換気システム１によって室内９０の空気を換気することができる。
【００５１】
以上、第１実施例に係る換気システム１の構成と動作について説明した。以上で説明したように、第１実施例に係る換気システム１は、室内９０に配置されているガスコンロ２０と、室内９０の空気を換気するレンジフード３０と、レンジフード３０の風量を設定可能なリモコン６０と、コントローラー５０を備えている。コントローラー５０は、ガスコンロ２０の火力状態に応じた風量でレンジフード３０を動作させる第１換気モードと、リモコン６０で設定された風量でレンジフード３０を動作させる第２換気モードを選択的に実行可能としている。コントローラー５０は、換気モードを第１換気モードから第２換気モードに変化させた後に、所定時間が経過すると前記換気モードを第２換気モードから第１換気モードに戻している。
【００５２】
このような構成を備えている換気システム１では、まず、コントローラー５０が第１換気モードを実行し、レンジフード３０はガスコンロ２０の火力状態に応じた風量で室内９０の空気を換気する。その後、ユーザーがリモコン６０で風量を設定すると、コントローラー５０が第２換気モードを実行し、レンジフード３０は設定された風量で室内９０の空気を換気する。また、その後、タイマー設定された所定時間が経過してタイマーが切れると、コントローラー５０が再び第１換気モードを実行し、レンジフード３０はガスコンロ２０の火力状態に応じた風量で室内９０の空気を換気する。このように、レンジフード３０が第１換気モードの風量で動作しているときにユーザーがリモコン６０で風量を設定することによって、ユーザーが希望する風量で室内９０の空気を換気することができる。また、レンジフード３０が所定時間にわたって第２換気モードの風量で動作するので、ユーザーが希望する風量で換気する時間を十分に確保することができる。また、コントローラー５０が第２換気モードを実行した後に再び第１換気モードに戻すので、再びガスコンロ２０の火力状態に応じた風量で室内９０の空気を換気することができる。したがって、ユーザーがレンジフード３０の風量を変更すると、ユーザーの希望風量で換気する時間を十分に確保することができるとともに、その後に再びガスコンロ２０の火力状態に応じた風量で室内９０の空気を換気することができる。
【００５３】
また、上記の換気システム１では、コントローラー５０が、換気モードを第１換気モードから第２換気モードに変化させたときの第１換気モードの風量をメモリ５２に記憶しておき、前記換気モードを第２換気モードから第１換気モードに戻すときに、メモリ５２に記憶している前記第１換気モードの風量で換気手段を動作させている。
【００５４】
このような構成によれば、換気モードを第２換気モードから再び第１換気モードに戻すときに、以前の第１換気モードのときの風量で再びレンジフード３０が動作する。これによって、ユーザーがレンジフード３０の風量を変更したとしても、所定時間が経過したときに再び元の風量で室内９０の空気を換気することができる。
【００５５】
以上、一実施例について説明したが、具体的な態様は上記実施例に限定されるものではない。以下の説明において、上記の説明における構成と同様の構成については同一の符号を付して説明を省略する。
【００５６】
（第２実施例）
上記の第１実施例では、第１換気モードでガスコンロ２０の状態に応じた風量で動作する構成について説明したが、この構成に限定されるものではない。他の実施例では、第１換気モードでセンサ４０の状態に応じた風量で動作してもよい。
【００５７】
次に第２実施例について説明する。図４に示すように、第２実施例の初期状態は第１実施例の初期状態と同じである。第２実施例では、初期状態から時間が経過したときに、室内９０の空気質が「正常」から「とても悪い」に変化したとする。室内９０の空気質は、センサ４０によって継続的に検知されている。センサ４０は、室内９０の空気質が「とても悪い」に変化したことを検知する。センサ４０は、検知した室内９０の空気質「とても悪い」に応じたレンジフード３０の風量「強」（センサ対応風量）をコントローラー５０へ送信する（Ｓ３１）。
【００５８】
コントローラー５０は、センサ対応風量を受信する。コントローラー５０は、受信したセンサ対応風量（センサ４０が検知した室内９０の空気質「とても悪い」に応じたレンジフード３０の風量「強」）をメモリ５２に格納する（Ｓ３２）。
【００５９】
また、コントローラー５０は、受信したセンサ対応風量（センサ４０が検知した室内９０の空気質「とても悪い」に応じたレンジフード３０の風量「強」）をレンジフード３０へ送信する（Ｓ３３）。レンジフード３０は、コントローラー５０から受信したセンサ対応風量に基づいて風量「強」で動作する。レンジフード３０は、風量「強」で室内９０の空気を換気する。また、コントローラー５０は、レンジフード３０の現在の風量「強」（レンジフード現在風量）をメモリ５２に格納する（Ｓ３４）。
【００６０】
以上のようにして、レンジフード３０が、センサ４０が検知した室内９０の空気質「とても悪い」に応じたレンジフード３０の風量「強」（センサ対応風量）で動作する。すなわち、レンジフード３０が第１換気モードの風量で動作する。
【００６１】
その後、室内９０の空気質が変化してから時間が経過したときに、ユーザーがリモコン６０でレンジフード３０の風量を「中」に設定したとする。そうすると、リモコン６０が、設定されたレンジフード３０の風量「中」（リモコン対応風量）をレンジフード３０へ送信する（Ｓ３５）。レンジフード３０は、リモコン６０から受信したリモコン対応風量（リモコン６０で設定されたレンジフード３０の風量「中」）に基づいて風量「中」で動作する。レンジフード３０は、風量「中」で室内９０の空気を換気する。また、レンジフード３０は、受信したリモコン対応風量（リモコン６０で設定されたレンジフード３０の風量「中」）をコントローラー５０へ送信する（Ｓ３６）。
【００６２】
コントローラー５０は、リモコン対応風量を受信する。コントローラー５０は、受信したリモコン対応風量（リモコン６０で設定されたレンジフード３０の風量「中」）をメモリ５２に格納する（Ｓ３７）。また、コントローラー５０は、レンジフード３０の現在の風量「中」（レンジフード現在風量）をメモリ５２に格納する（Ｓ３８）。
【００６３】
以上のようにして、レンジフード３０が、リモコン６０で設定された風量「中」（リモコン対応風量）で動作する。すなわち、レンジフード３０が第２換気モードで動作する。ユーザーがリモコン６０で風量を設定することによって、換気モードが第１換気モードから第２換気モードに変化する。
【００６４】
また、コントローラー５０は、リモコン対応風量を受信すると、所定時間（例えば１０分）のタイマーを設定する。その後、タイマー設定された所定時間（例えば１０分）が経過してタイマーが切れると、コントローラー５０は、Ｓ３２でメモリ５２に記憶しているセンサ対応風量（センサ４０が検知した室内９０の空気質「とても悪い」に応じたレンジフード３０の風量「強」）をレンジフード３０へ送信する（Ｓ３９）。レンジフード３０は、コントローラー５０から受信したセンサ対応風量に基づいて風量「強」で動作する。レンジフード３０は、風量「強」で室内９０の空気を換気する。また、コントローラー５０は、レンジフード３０の現在の風量「強」（レンジフード現在風量）をメモリ５２に格納する（Ｓ４０）。
【００６５】
以上のようにして、レンジフード３０が、センサ４０が検知した室内９０の空気質「とても悪い」に応じたレンジフード３０の風量「強」（センサ対応風量）で動作する。すなわち、レンジフード３０が第１換気モードの風量で動作する。タイマー設定された所定時間が経過することによって、コントローラー５０が換気モードを第２換気モードから第１換気モードに戻す。タイマー設定された所定時間にわたってレンジフード３０が第２換気モードの風量で動作した後に第１換気モードの風量で動作する。
【００６６】
その後、更に時間が経過したときに、室内９０の空気質が「とても悪い」から「正常」に変化したとする。そうすると、センサ４０が、室内９０の空気質が「正常」に変化したことを検知する。センサ４０は、検知した室内９０の空気質「正常」に応じたレンジフード３０の風量「０（停止）」（センサ対応風量）をコントローラー５０へ送信する（Ｓ４１）。
【００６７】
コントローラー５０は、センサ対応風量を受信する。コントローラー５０は、受信したセンサ対応風量（センサ４０が検知した室内９０の空気質「正常」に応じたレンジフード３０の風量「０（停止）」）をメモリ５２に格納する（Ｓ４２）。また、コントローラー５０は、受信したセンサ対応風量をレンジフード３０へ送信する（Ｓ４３）。レンジフード３０は、コントローラー５０から受信したセンサ対応風量（センサ４０が検知した室内９０の空気質「正常」に応じたレンジフード３０の風量「０（停止）」）に基づいて停止する。また、コントローラー５０は、レンジフード３０の現在の風量「０（停止）」（レンジフード現在風量）をメモリ５２に格納する（Ｓ４４）。以上のようにして、換気システム１によって室内９０の空気を換気することができる。
【００６８】
以上、第２実施例に係る換気システムの構成と動作について説明した。上記の換気システム１は、室内９０に配置されているセンサ４０と、室内９０の空気を換気するレンジフード３０と、レンジフード３０の風量を設定可能なリモコン６０と、コントローラー５０を備えている。コントローラー５０は、センサ４０の検知状態に応じた風量でレンジフード３０を動作させる第１換気モードと、リモコン６０で設定された風量でレンジフード３０を動作させる第２換気モードを選択的に実行可能としている。コントローラー５０は、換気モードを第１換気モードから第２換気モードに変化させた後に、所定時間が経過すると前記換気モードを第２換気モードから第１換気モードに戻している。
【００６９】
このような構成によっても、第１実施例と同様に、レンジフード３０が第１換気モードの風量で動作しているときにユーザーがリモコン６０で風量を設定することによって、ユーザーが希望する風量で室内９０の空気を換気することができる。また、コントローラー５０が第２換気モードを実行した後に再び第１換気モードに戻すので、再びセンサ４０の検知状態に応じた風量で室内９０の空気を換気することができる。したがって、ユーザーがレンジフード３０の風量を変更すると、ユーザーの希望風量で換気する時間を十分に確保することができるとともに、その後に再びセンサ４０の検知状態に応じた風量で室内９０の空気を換気することができる。
【００７０】
（第３実施例）
次に第３実施例について説明する。図５に示すように、第３実施例のＳ１８までの動作は、上記の第１実施例のＳ１８までの動作と同じである。したがって、第３実施例のＳ１８までの動作の説明を省略する。
【００７１】
Ｓ１８の動作が終了した状態では、ガスコンロ２０の火力が「強」である。また、室内９０の空気質が「正常」である。また、リモコン６０で設定された風量が「中」である。また、レンジフード３０の現在の風量が「中」である。また、所定時間のタイマーが設定されている。
【００７２】
その後、Ｓ１８の動作が終了してから時間が経過したときに、ユーザーがガスコンロ２０の火力を「強」から「弱」に調節したとする。そうすると、ガスコンロ２０が、ガスコンロ２０の火力「弱」に応じたレンジフード３０の風量「弱」（ガスコンロ対応風量）をコントローラー５０へ送信する（Ｓ５１）。
【００７３】
コントローラー５０は、ガスコンロ対応風量を受信する。一方、所定時間のタイマーが設定されている間は、コントローラー５０は、受信したガスコンロ対応風量（ガスコンロ２０の火力「弱」に応じたレンジフード３０の風量「弱」）をメモリ５２に格納しない。また、コントローラー５０は、受信したガスコンロ対応風量をレンジフード３０へ送信しない。したがって、レンジフード３０は、リモコン６０で設定されたレンジフード３０の風量「中」（リモコン対応風量）で動作し続ける。レンジフード３０は、風量「中」で室内９０の空気を換気し続ける。
【００７４】
その後、ユーザーがガスコンロ２０の火力を調節してから時間が経過したときに、室内９０の空気質が「正常」から「やや悪い」に変化したとする。室内９０の空気質は、センサ４０によって継続的に検知されている。センサ４０は、室内９０の空気質が「やや悪い」に変化したことを検知する。センサ４０は、検知した室内９０の空気質「やや悪い」に応じたレンジフード３０の風量「弱」（センサ対応風量）をコントローラー５０へ送信する（Ｓ５２）。
【００７５】
コントローラー５０は、センサ対応風量を受信する。一方、所定時間のタイマーが設定されている間は、コントローラー５０は、受信したセンサ対応風量（センサ４０が検知した室内９０の空気質「やや悪い」に応じたレンジフード３０の風量「弱」）をメモリ５２に格納しない。また、コントローラー５０は、受信したセンサ対応風量（センサ４０が検知した室内９０の空気質「やや悪い」に応じたレンジフード３０の風量「弱」）をレンジフード３０へ送信しない。したがって、レンジフード３０は、リモコン６０で設定されたレンジフード３０の風量「中」（リモコン対応風量）で動作し続ける。レンジフード３０は、風量「中」で室内９０の空気を換気し続ける。
【００７６】
その後、タイマー設定された所定時間（例えば１０分）が経過してタイマーが切れると、コントローラー５０は、メモリ５２に記憶しているガスコンロ対応風量（ガスコンロ２０の火力「強」に応じたレンジフード３０の風量「強」）をレンジフード３０へ送信する（Ｓ５３）。レンジフード３０は、コントローラー５０から受信したガスコンロ対応風量に基づいて風量「強」で動作する。レンジフード３０は、風量「強」で室内９０の空気を換気する。また、コントローラー５０は、レンジフード３０の現在の風量「強」（レンジフード現在風量）をメモリ５２に格納する（Ｓ５４）。
【００７７】
以上のようにして、レンジフード３０が、メモリ５２に記憶しているガスコンロ２０の火力「強」に応じた風量「強」（ガスコンロ対応風量）で動作する。すなわち、タイマー設定された所定時間が経過することによって、コントローラー５０が第１換気モードを実行し、換気モードを第２換気モードから第１換気モードに戻す。タイマー設定された所定時間にわたってレンジフード３０が第２換気モードの風量で動作した後に第１換気モードの風量で動作する。
【００７８】
その後、更に時間が経過したときに、ユーザーがガスコンロ２０の火力を「弱」から「消火」に調節したとする。そうすると、ガスコンロ２０が、ガスコンロ２０の火力「消火」に応じたレンジフード３０の風量「０（停止）」（ガスコンロ対応風量）をコントローラー５０へ送信する（Ｓ５５）。
【００７９】
コントローラー５０は、ガスコンロ対応風量を受信する。コントローラー５０は、受信したガスコンロ対応風量（ガスコンロ２０の火力「消火」に応じたレンジフード３０の風量「０（停止）」）をメモリ５２に格納する（Ｓ５６）。また、コントローラー５０は、受信したガスコンロ対応風量をレンジフード３０へ送信する（Ｓ５７）。レンジフード３０は、コントローラー５０から受信したガスコンロ対応風量（ガスコンロ２０の火力「消火」に応じたレンジフード３０の風量「０（停止）」）に基づいて停止する。また、コントローラー５０は、レンジフード３０の現在の風量「０（停止）」（レンジフード現在風量）をメモリ５２に格納する（Ｓ５８）。以上のようにして、換気システム１によって室内９０の空気を換気することができる。
【００８０】
以上、第３実施例に係る換気システムの構成と動作について説明した。このような構成によっても、レンジフード３０のモードが第２換気モードから再び第１換気モードに戻るときに、以前の第１換気モードのときの風量で再びレンジフード３０が動作する。これによって、ユーザーがレンジフード３０の風量を変更したとしても、所定時間が経過したときに再び元の風量で室内９０の空気を換気することができる。
【００８１】
（第４実施例）
上記の実施例では、所定時間のタイマーが設定されている間は、コントローラー５０が、ガスコンロ対応風量とセンサ対応風量をメモリ５２に格納しない構成であったが、この構成に限定されるものではない。
【００８２】
次に第４実施例について説明する。図６に示すように、第４実施例のＳ１８までの動作は、上記の第１実施例のＳ１８までの動作と同じである。したがって、第４実施例のＳ１８までの動作の説明を省略する。
【００８３】
Ｓ１８の動作が終了した状態では、ガスコンロ２０の火力が「強」である。また、室内９０の空気質が「正常」である。また、リモコン６０で設定された風量が「中」である。また、レンジフード３０の現在の風量が「中」である。また、所定時間のタイマーが設定されている。
【００８４】
その後、Ｓ１８の動作が終了してから時間が経過したときに、ユーザーがガスコンロ２０の火力を「強」から「弱」に調節したとする。そうすると、ガスコンロ２０が、ガスコンロ２０の火力「弱」に応じたレンジフード３０の風量「弱」（ガスコンロ対応風量）をコントローラー５０へ送信する（Ｓ６１）。
【００８５】
コントローラー５０は、ガスコンロ対応風量を受信する。コントローラー５０は、受信したガスコンロ対応風量（ガスコンロ２０の火力「弱」に応じたレンジフード３０の風量「弱」）をメモリ５２に格納する（Ｓ６２）。一方、所定時間のタイマーが設定されている間は、コントローラー５０は、受信したガスコンロ対応風量をレンジフード３０へ送信しない。したがって、レンジフード３０は、リモコン６０で設定されたレンジフード３０の風量「中」（リモコン対応風量）で動作し続ける。レンジフード３０は、風量「中」で室内９０の空気を換気し続ける。
【００８６】
その後、タイマー設定された所定時間（例えば１０分）が経過してタイマーが切れると、コントローラー５０は、メモリ５２に記憶しているガスコンロ対応風量（ガスコンロ２０の火力「弱」に応じたレンジフード３０の風量「弱」）をレンジフード３０へ送信する（Ｓ６３）。レンジフード３０は、コントローラー５０から受信したガスコンロ対応風量に基づいて風量「弱」で動作する。レンジフード３０は、風量「弱」で室内９０の空気を換気する。また、コントローラー５０は、レンジフード３０の現在の風量「弱」（レンジフード現在風量）をメモリ５２に格納する（Ｓ６４）。
【００８７】
メモリ５２に格納されているガスコンロ対応風量は、ガスコンロ２０の現在の火力「弱」に応じた風量「弱」である。したがって、レンジフード３０は、ガスコンロ２０の現在の火力「弱」に応じた風量「弱」（ガスコンロ対応風量）で動作する。
【００８８】
以上のように、タイマー設定された所定時間が経過することによって、コントローラー５０が換気モードを第２換気モードから第１換気モードに戻す。タイマー設定された所定時間にわたってレンジフード３０が第２換気モードの風量で動作した後に第１換気モードの風量で動作する。レンジフード３０は、第２換気モードの風量から第１換気モードの風量に戻るときに、そのときのガスコンロ２０の火力「弱」に応じた風量「弱」で動作する。
【００８９】
その後、更に時間が経過したときに、ユーザーがガスコンロ２０の火力を「弱」から「消火」に調節したとする。そうすると、ガスコンロ２０が、ガスコンロ２０の火力「消火」に応じたレンジフード３０の風量「０（停止）」（ガスコンロ対応風量）をコントローラー５０へ送信する（Ｓ６５）。
【００９０】
コントローラー５０は、ガスコンロ対応風量を受信する。コントローラー５０は、受信したガスコンロ対応風量（ガスコンロ２０の火力「消火」に応じたレンジフード３０の風量「０（停止）」）をメモリ５２に格納する（Ｓ６６）。また、コントローラー５０は、受信したガスコンロ対応風量をレンジフード３０へ送信する（Ｓ６７）。レンジフード３０は、コントローラー５０から受信したガスコンロ対応風量（ガスコンロ２０の火力「消火」に応じたレンジフード３０の風量「０（停止）」）に基づいて停止する。また、コントローラー５０は、レンジフード３０の現在の風量「０（停止）」（レンジフード現在風量）をメモリ５２に格納する（Ｓ６８）。以上のようにして、換気システム１によって室内９０の空気を換気することができる。
【００９１】
以上、第４実施例に係る換気システムの構成と動作について説明した。上記の換気システム１では、コントローラー５０が、換気モードを第２換気モードから第１換気モードに戻すときに、そのときのガスコンロ２０の火力状態に応じた風量でレンジフード３０を動作させている。
【００９２】
このような構成によれば、換気モードを第２換気モードから再び第１換気モードに戻すときに、その時点におけるガスコンロ２０の火力状態に応じた風量でレンジフード３０が動作する。これによって、ユーザーがレンジフード３０の風量を変更したとしても、タイマー設定された時間が経過したときに、その時点におけるガスコンロ２０の火力状態に応じた風量で室内９０の空気を換気することができる。
【００９３】
（第５実施例）
上記の第４実施例では、第１換気モードでガスコンロ２０の状態に応じた風量で動作する構成について説明したが、この構成に限定されるものではない。他の実施例では、第１換気モードでセンサ４０の状態に応じた風量で動作してもよい。
【００９４】
次に第５実施例について説明する。図７に示すように、第５実施例のＳ３８までの動作は、上記の第２実施例のＳ３８までの動作と同じである。したがって、第５実施例のＳ３８までの動作の説明を省略する。
【００９５】
Ｓ３８の動作が終了した状態では、ガスコンロ２０の火力が「消火」である。また、室内９０の空気質が「とても悪い」である。また、リモコン６０で設定された風量が「中」である。また、レンジフード３０の現在の風量が「中」である。また、所定時間のタイマーが設定されている。
【００９６】
その後、Ｓ３８の動作が終了してから時間が経過したときに、室内９０の空気質が「とても悪い」から「やや悪い」に変化したとする。室内９０の空気質は、センサ４０によって継続的に検知されている。センサ４０は、室内９０の空気質が「やや悪い」に変化したことを検知する。センサ４０は、検知した室内９０の空気質「やや悪い」に応じたレンジフード３０の風量「弱」（センサ対応風量）をコントローラー５０へ送信する（Ｓ７１）。
【００９７】
コントローラー５０は、センサ対応風量を受信する。コントローラー５０は、受信したセンサ対応風量（センサ４０が検知した室内９０の空気質「やや悪い」に応じたレンジフード３０の風量「弱」）をメモリ５２に格納する（Ｓ７２）。一方、所定時間のタイマーが設定されている間は、コントローラー５０は、受信したセンサ対応風量をレンジフード３０へ送信しない。したがって、レンジフード３０は、リモコン６０で設定されたレンジフード３０の風量「中」（リモコン対応風量）で動作し続ける。レンジフード３０は、風量「中」で室内９０の空気を換気し続ける。
【００９８】
その後、タイマー設定された所定時間（例えば１０分）が経過してタイマーが切れると、コントローラー５０は、メモリ５２に記憶しているセンサ対応風量（センサ４０が検知した室内９０の空気質「やや悪い」に応じたレンジフード３０の風量「弱」）をレンジフード３０へ送信する（Ｓ７３）。レンジフード３０は、コントローラー５０から受信したセンサ対応風量に基づいて風量「弱」で動作する。レンジフード３０は、風量「弱」で室内９０の空気を換気する。また、コントローラー５０は、レンジフード３０の現在の風量「弱」（レンジフード現在風量）をメモリ５２に格納する（Ｓ７４）。
【００９９】
メモリ５２に格納されているセンサ対応風量は、センサ４０が検知した現在の室内９０の空気質「やや悪い」に応じた風量「弱」である。したがって、レンジフード３０は、センサ４０が検知した現在の室内９０の空気質「やや悪い」に応じた風量「弱」（センサ対応風量）で動作する。
【０１００】
以上のように、タイマー設定された所定時間が経過することによって、コントローラー５０が換気モードを第２換気モードから第１換気モードに戻す。タイマー設定された所定時間にわたってレンジフード３０が第２換気モードの風量で動作した後に第１換気モードの風量で動作する。レンジフード３０は、第２換気モードの風量から第１換気モードの風量に戻るときに、そのときのセンサ４０が検知した室内９０の空気質「やや悪い」に応じた風量「弱」で動作する。
【０１０１】
その後、更に時間が経過したときに、室内９０の空気質が「やや悪い」から「正常」に変化したとする。そうすると、センサ４０が、室内９０の空気質が「正常」に変化したことを検知する。センサ４０は、検知した室内９０の空気質「正常」に応じたレンジフード３０の風量「０（停止）」（センサ対応風量）をコントローラー５０へ送信する（Ｓ７５）。
【０１０２】
コントローラー５０は、センサ対応風量を受信する。コントローラー５０は、受信したセンサ対応風量（センサ４０が検知した室内９０の空気質「正常」に応じたレンジフード３０の風量「０（停止）」）をメモリ５２に格納する（Ｓ７６）。また、コントローラー５０は、受信したセンサ対応風量をレンジフード３０へ送信する（Ｓ７７）。レンジフード３０は、コントローラー５０から受信したセンサ対応風量（センサ４０が検知した室内９０の空気質「正常」に応じたレンジフード３０の風量「０（停止）」）に基づいて停止する。また、コントローラー５０は、レンジフード３０の現在の風量「０（停止）」（レンジフード現在風量）をメモリ５２に格納する（Ｓ７８）。以上のようにして、換気システム１によって室内９０の空気を換気することができる。
【０１０３】
以上、第５実施例に係る換気システムの構成と動作について説明した。上記の換気システム１では、コントローラー５０が、換気モードを第２換気モードから第１換気モードに戻すときに、そのときのセンサ４０の検知状態に応じた風量でレンジフード３０を動作させている。
【０１０４】
このような構成によれば、換気モードを第２換気モードから再び第１換気モードに戻すときに、その時点におけるセンサ４０の検知状態に応じた風量でレンジフード３０が動作する。これによって、ユーザーがレンジフード３０の風量を変更したとしても、タイマー設定された時間が経過したときに、その時点におけるセンサ４０の検知状態に応じた風量で室内９０の空気を換気することができる。
【０１０５】
（第６実施例）
上記の第４実施例及び第５実施例では、所定時間のタイマーが設定されている間に、メモリ５２にガスコンロ対応風量またはセンサ対応風量の一方が格納される構成であったが、この構成に限定されるものではなく、メモリ５２にガスコンロ対応風量およびセンサ対応風量の両方が格納される構成であってもよい。
【０１０６】
次に第６実施例について説明する。図８に示すように、第６実施例のＳ６２までの動作は、上記の第４実施例のＳ６２までの動作と同じである。したがって、第６実施例のＳ６２までの動作の説明を省略する。
【０１０７】
その後、Ｓ６２の動作が終了してから時間が経過したときに、室内９０の空気質が「正常」から「とても悪い」に変化したとする。室内９０の空気質は、センサ４０によって継続的に検知されている。センサ４０は、室内９０の空気質が「とても悪い」に変化したことを検知する。センサ４０は、検知した室内９０の空気質「とても悪い」に応じたレンジフード３０の風量「強」（センサ対応風量）をコントローラー５０へ送信する（Ｓ８１）。
【０１０８】
コントローラー５０は、センサ対応風量を受信する。コントローラー５０は、受信したセンサ対応風量（センサ４０が検知した室内９０の空気質「とても悪い」に応じたレンジフード３０の風量「強」）をメモリ５２に格納する（Ｓ８２）。一方、所定時間のタイマーが設定されている間は、コントローラー５０は、受信したセンサ対応風量をレンジフード３０へ送信しない。したがって、レンジフード３０は、リモコン６０で設定されたレンジフード３０の風量「中」（リモコン対応風量）で動作し続ける。レンジフード３０は、風量「中」で室内９０の空気を換気し続ける。
【０１０９】
その後、タイマー設定された所定時間（例えば１０分）が経過してタイマーが切れると、コントローラー５０は、メモリ５２に記憶しているセンサ対応風量（センサ４０が検知した室内９０の空気質「とても悪い」に応じたレンジフード３０の風量「強」）をレンジフード３０へ送信する（Ｓ８３）。すなわち、コントローラー５０は、メモリ５２に記憶しているガスコンロ対応風量（Ｓ６２「弱」）とセンサ対応風量（Ｓ８２「強」）のうち、最新の風量（Ｓ８２「強」）をレンジフード３０へ送信する（Ｓ８３）。コントローラー５０は、最後にメモリ５２に格納された風量（Ｓ８２「強」）をレンジフード３０へ送信する。
【０１１０】
レンジフード３０は、コントローラー５０から受信したセンサ対応風量に基づいて風量「強」で動作する。レンジフード３０は、風量「強」で室内９０の空気を換気する。また、コントローラー５０は、レンジフード３０の現在の風量「強」（レンジフード現在風量）をメモリ５２に格納する（Ｓ８４）。
【０１１１】
メモリ５２に格納されているセンサ対応風量は、センサ４０が検知した現在の室内９０の空気質「とても悪い」に応じた風量「強」である。したがって、レンジフード３０は、センサ４０が検知した現在の室内９０の空気質「とても悪い」に応じた風量「強」（センサ対応風量）で動作する。
【０１１２】
その後、更に時間が経過したときに、ユーザーがガスコンロ２０の火力を「弱」から「消火」に調節したとする。そうすると、ガスコンロ２０が、ガスコンロ２０の火力「消火」に応じたレンジフード３０の風量「０（停止）」（ガスコンロ対応風量）をコントローラー５０へ送信する（Ｓ８５）。
【０１１３】
コントローラー５０は、ガスコンロ対応風量を受信する。コントローラー５０は、受信したガスコンロ対応風量（ガスコンロ２０の火力「消火」に応じたレンジフード３０の風量「０（停止）」）をメモリ５２に格納する（Ｓ８６）。また、コントローラー５０は、受信したガスコンロ対応風量をレンジフード３０へ送信する（Ｓ８７）。レンジフード３０は、コントローラー５０から受信したガスコンロ対応風量（ガスコンロ２０の火力「消火」に応じたレンジフード３０の風量「０（停止）」）に基づいて停止する。また、コントローラー５０は、レンジフード３０の現在の風量「０（停止）」（レンジフード現在風量）をメモリ５２に格納する（Ｓ８８）。以上のようにして、換気システム１によって室内９０の空気を換気することができる。
【０１１４】
このような構成によれば、換気モードが第２換気モードから再び第１換気モードに戻るときに、その時点におけるガスコンロ２０の火力状態に応じた風量またはセンサ４０の検知状態に応じた風量のうち、いずれか一方の最新の風量でレンジフード３０が動作する。
【０１１５】
（第７実施例）
上記の実施例では、所定時間のタイマーが設定されている間はレンジフード３０の風量が変化しない構成であったが、この構成に限定されるものではない。
【０１１６】
次に第７実施例について説明する。図９に示すように、第７実施例のＳ１８までの動作は、上記の第１実施例のＳ１８までの動作と同じである。したがって、第７実施例のＳ１８までの動作の説明を省略する。
【０１１７】
Ｓ１８の動作が終了した状態では、ガスコンロ２０の火力が「強」である。また、室内９０の空気質が「正常」である。また、リモコン６０で設定された風量が「中」である。また、レンジフード３０の現在の風量が「中」である。また、所定時間のタイマーが設定されている。
【０１１８】
その後、Ｓ１８の動作が終了してから時間が経過したときに、ユーザーがガスコンロ２０の火力を「強」から「消火」に調節したとする。そうすると、ガスコンロ２０が、ガスコンロ２０の火力「消火」に応じたレンジフード３０の風量「０（停止）」（ガスコンロ対応風量）をコントローラー５０へ送信する（Ｓ９１）。
【０１１９】
コントローラー５０は、ガスコンロ対応風量を受信する。コントローラー５０は、受信したガスコンロ対応風量（ガスコンロ２０の火力「消火」に応じたレンジフード３０の風量「０（停止）」）をメモリ５２に格納する（Ｓ９２）。また、コントローラー５０は、受信したガスコンロ対応風量をレンジフード３０へ送信する（Ｓ９３）。レンジフード３０は、コントローラー５０から受信したガスコンロ対応風量（ガスコンロ２０の火力「消火」に応じたレンジフード３０の風量「０（停止）」）に基づいて停止する。また、コントローラー５０は、レンジフード３０の現在の風量「０（停止）」（レンジフード現在風量）をメモリ５２に格納する（Ｓ９４）。その後、タイマー設定された所定時間が経過するとタイマーが切れる。
【０１２０】
以上、第７実施例に係る換気システムの構成と動作について説明した。上記の換気システム１では、コントローラー５０が、換気モードが第１換気モードから第２換気モードに変化した後に、タイマー設定した所定時間が経過する前にガスコンロ２０の火力状態が変化した場合は、ガスコンロ２０の火力状態に応じた風量で換気手段を動作させている。
【０１２１】
このような構成によれば、換気モードが第１換気モードから第２換気モードに変化してからタイマー設定した時間が経過していなくても、ガスコンロ２０の火力状態が変化した場合には、その変化に応じた風量でレンジフード３０が動作する。そのため、ガスコンロ２０の火力状態が急激に変化したとしても、その変化に迅速に対応することができる。例えば、ガスコンロ２０の火力が「弱」から「強」や「強」から「消火」に急激に変化したとしても、その変化に迅速に対応することができる。また、ガスコンロ２０の火力が「弱」から「強」に急激に変化したときは、室内の空気質が悪化する前にレンジフード３０が「強」に対応した風量で換気を開始するので、空気質の悪化を抑制できる。また、ガスコンロ２０の火力が「強」から「消火」に急激に変化したときはレンジフード３０が停止して余分に動作しないので、余分な電力を消費することがなく省エネを図ることができる。また、室内９０の静音性を向上させることができる。
【０１２２】
（その他の実施例）
上記の実施例では、風量を設定するための設定手段の一例としてリモコン６０を用いていたが、この構成に限定されるものではない。他の実施例では、レンジフード３０が、風量を設定するための設定部（設定手段の他の一例）を備えていてもよい（図示省略）。あるいは、ガスコンロ２０が、風量を設定するための設定部（設定手段の他の一例）を備えていてもよい（図示省略）。ユーザーがレンジフード３０あるいはガスコンロ２０の設定部を操作することによって、レンジフード３０の風量を「０（停止）」、「弱」、「中」、「強」の４段階で設定することができる。
【０１２３】
上記の実施例では、調理器の一例としてガスコンロ２０を用いていたが、この構成に限定されるものではない。他の実施例では、調理器として炊飯器、電気コンロやオーブン、電磁誘導加熱調理器具（ＩＨ調理器）等を用いてもよい。
【０１２４】
なお、本明細書で記載した実施例中では、ガスコンロ２０やセンサ４０からコントローラー５０へ送られる情報は、それぞれガスコンロ２０の火力に応じたレンジフード３０の風量、空気質に応じたレンジフード３０の風量としたが、予めガスコンロ２０やセンサ４０で風量に換算せずに、ガスコンロ２０の火力情報、空気質の状態情報をそれぞれがコントローラー５０にそのまま送信し、受信したコントローラー５０側で風量に換算した後に各種判断を行う構成としても良いものである。
【０１２５】
また、本明細書で説明したレンジフード３０の風量制御は、第１換気モードでの風量と第２換気モードでの風量が異なっている場合に限らず、換気モード切り換え前後の風量が同じになる場合でも同様に制御される。
【０１２６】
また、上記の各実施例では、ユーザーがリモコン６０で「中」の風量を設定していたが、これに限定されるものではない。他の実施例では、ユーザーがリモコン６０で「０（停止）」を設定してもよい。そうすると、レンジフード３０が停止する。その後、タイマー設定された所定時間が経過すると、コントローラー５０が換気モードを第２換気モードから第１換気モードに戻す。これによって、レンジフード３０が第１換気モードの風量で動作する。このような構成によれば、ガスコンロ２０の作動中にリモコン設定によってレンジフード３０による換気が停止しても、所定時間経過後に、再びレンジフード３０による換気が開始される。これによって、ユーザーがリモコン設定による換気の再開を忘れていたとしても、レンジフード３０による換気が再開するので、室内９０の空気質が悪化することを抑制できる。
【０１２７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１２８】
１    ：換気システム
９    ：室
２０  ：ガスコンロ
２１  ：バーナー
２２  ：スイッチ
２３  ：調節部
３０  ：レンジフード
３１  ：ファン
３２  ：カバー
４０  ：センサ
５０  ：コントローラー
５２  ：メモリ
６０  ：リモコン
７０  ：警報器
８０  ：報知手段
９０  ：室内
９１  ：キッチン領域
９２  ：ダイニング領域
【図１】
0006666734.tif 000002
【図２】
0006666734.tif 000003
【図３】
0006666734.tif 000004
【図４】
0006666734.tif 000005
【図５】
0006666734.tif 000006
【図６】
0006666734.tif 000007
【図７】
0006666734.tif 000008
【図８】
0006666734.tif 000009
【図９】
0006666734.tif 000010